(57)【要約】【課題】製造コストの低廉化を図る。【解決手段】連結表示装置５０は、画像が表示される表示部１０ＤＳと表示部１０ＤＳを取り囲むよう額縁状をなす額縁部１０ＦＲとを有していて外形が方形状をなす液晶表示装置１０を、互いに隣り合うよう並べ且つ互いに反転した姿勢で連結してなる連結液晶表示装置５０であって、額縁部１０ＦＲは、液晶表示装置１０の並び方向に沿う一対の第１辺部１０ＦＲ１と並び方向と直交する並び直交方向に沿う一対の第２辺部１０ＦＲ２とからなり、隣り合う液晶表示装置１０は、一対ずつの第１辺部１０ＦＲ１がそれぞれ直線状に並ぶよう配される。【選択図】図７
2019174716.tif 000002
【特許請求の範囲】
【請求項１】
画像が表示される表示部と前記表示部を取り囲むよう額縁状をなす額縁部とを有していて外形が方形状をなす表示装置を、互いに隣り合うよう並べ且つ互いに反転した姿勢で連結してなる連結表示装置であって、
前記額縁部は、前記表示装置の並び方向に沿う一対の第１辺部と前記並び方向と直交する並び直交方向に沿う一対の第２辺部とからなり、
隣り合う前記表示装置は、一対ずつの前記第１辺部がそれぞれ直線状に並ぶよう配される連結表示装置。
【請求項２】
前記額縁部は、一対の前記第２辺部の幅寸法が互いに異なる構成とされており、
隣り合う前記表示装置は、隣接する側の前記第２辺部の幅寸法が、隣接側とは反対側の前記第２辺部の幅寸法よりも小さい請求項１記載の連結表示装置。
【請求項３】
前記表示装置は、前記表示部及び前記額縁部を有する表示パネルと、前記表示パネルの前記額縁部のうちの前記隣接側とは反対側の前記第２辺部に実装される第２辺部接続部品と、を少なくとも有する請求項２記載の連結表示装置。
【請求項４】
隣り合う前記表示装置は、前記隣接側とは反対側の前記第２辺部の幅寸法が、一対の前記第１辺部の幅寸法と同等とされる請求項２または請求項３記載の連結表示装置。
【請求項５】
前記表示装置は、第１姿勢と、前記第１姿勢に対して前記並び直交方向について天地が反転した第２姿勢と、の双方において表示される画像における前記並び直交方向についての向きが同一となるよう前記表示装置の駆動を制御する表示制御部を有する請求項１から請求項４のいずれか１項に記載の連結表示装置。
【請求項６】
前記表示装置は、前記表示部及び前記額縁部を有する表示パネルと、前記表示パネルの前記額縁部のうちの一方の前記第１辺部に実装される第１辺部接続部品と、前記表示パネルに対して表示のための光を照射する照明装置と、を少なくとも有しており、
前記照明装置は、他方の前記第１辺部と重畳するよう配される光源を有する請求項１から請求項５のいずれか１項に記載の連結表示装置。
【発明の詳細な説明】
【技術分野】
【０００１】
本発明は、連結表示装置に関する。
【背景技術】
【０００２】
従来、多画面型の表示装置の一例として下記特許文献１に記載されたものが知られている。この特許文献１に記載された多画面表示装置は、画像を表示する表示部と表示部の外周を囲む枠部とを備えた表示装置を複数用い、夫々の表示装置の枠部同士を互いに近接させてなり、枠部の外周面には、外周面より表示部側に向け窪む凹部と、外周面より表示部側の反対側に向け突出する凸部と、が設けられ、互いに近接する表示装置の夫々の凹部と凸部とが互いに嵌合する構成とされることを特徴とする。
【先行技術文献】
【特許文献】
【０００３】
【特許文献１】特開２００９−２９４５７４号公報
【発明の概要】
【発明が解決しようとする課題】
【０００４】
上記した特許文献１に記載されたような多画面表示装置では、各表示装置の構造が多画面表示装置における配置に応じて異なっている。このため、各表示装置に係る製造コストが高くなりがちである、という問題があった。
【０００５】
本発明は上記のような事情に基づいて完成されたものであって、製造コストの低廉化を図ることを目的とする。
【課題を解決するための手段】
【０００６】
本発明の連結表示装置は、画像が表示される表示部と前記表示部を取り囲むよう額縁状をなす額縁部とを有していて外形が方形状をなす表示装置を、互いに隣り合うよう並べ且つ互いに反転した姿勢で連結してなる連結表示装置であって、前記額縁部は、前記表示装置の並び方向に沿う一対の第１辺部と前記並び方向と直交する並び直交方向に沿う一対の第２辺部とからなり、隣り合う前記表示装置は、一対ずつの前記第１辺部がそれぞれ直線状に並ぶよう配される。
【０００７】
このようにすれば、隣り合う表示装置の各表示部に画像が表示されるので、単独の表示装置での表示に比べると、大画面での表示が可能となる。表示部を取り囲むよう額縁状をなす額縁部は、一対ずつの第１辺部及び第２辺部が画像の表示範囲を区画している。そして、隣り合う表示装置は、額縁部のうちの並び方向に沿う一対ずつの第１辺部がそれぞれ直線状に並ぶよう配されているから、隣り合う表示装置同士が反転した姿勢で連結されていても、表示装置同士で表示範囲が並び直交方向についてずれることが避けられるとともに、表示装置同士で外形が並び直交方向についてずれることが避けられる。これにより、表示品位が良好になるとともに、外観が優れたものとなる。その上で、隣り合う表示装置が互いに反転した姿勢であり、その構造を共通化することができるので、製造コストの低廉化を図る上でも好適となる。
【発明の効果】
【０００８】
本発明によれば、製造コストの低廉化を図ることができる。
【図面の簡単な説明】
【０００９】
【図１】本発明の実施形態１に係る液晶表示装置の平面図
【図２】液晶表示装置を短辺方向に沿って切断した断面図
【図３】液晶表示装置を長辺方向に沿って切断した断面図
【図４】液晶表示装置を構成する液晶パネル、各フレキシブル基板及びコントロール基板の平面図
【図５】液晶表示装置の背面図
【図６】液晶表示装置の電気的構成を表すブロック図
【図７】連結液晶表示装置の平面図
【図８】連結液晶表示装置の背面図
【発明を実施するための形態】
【００１０】
＜実施形態１＞
本発明の実施形態１を図１から図８によって説明する。本実施形態では、液晶表示装置（表示装置）１０を用いた連結液晶表示装置（連結表示装置）５０について例示する。なお、各図面の一部にはＸ軸、Ｙ軸及びＺ軸を示しており、各軸方向が各図面で示した方向となるように描かれている。また、図２及び図３に示す上側を表側とし、同図下側を裏側とする。
【００１１】
先に液晶表示装置１０について説明する。液晶表示装置１０は、図１に示すように、全体として横長の略方形状をなしている。液晶表示装置１０は、図２及び図３に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。さらには、液晶表示装置１０は、液晶パネル１１及びバックライト装置１２の駆動を制御するためのコントロール基板（制御基板）１４を備える。液晶表示装置１０は、図１に示すように、液晶パネル１１における中央側部分が画像を表示する表示部１０ＤＳとされるのに対し、液晶パネル１１における外周側部分及びベゼル１３の全域が表示部１０ＤＳを取り囲むよう額縁状をなす額縁部１０ＦＲとされる。額縁部１０ＦＲは、Ｘ軸方向（液晶表示装置１０の並び方向）に沿う一対の第１辺部１０ＦＲ１と、Ｙ軸方向（並び方向と直交する並び直交方向）に沿う一対の第２辺部１０ＦＲ２とからなる。このように額縁部１０ＦＲは、一対ずつの第１辺部１０ＦＲ１及び第２辺部１０ＦＲ２が表示部１０ＤＳにおける画像の表示範囲を区画している。ベゼル１３は、一対ずつの長辺部１３Ａ及び短辺部１３Ｂを有しており、このうちの一対の長辺部１３Ａが一対の第１辺部１０ＦＲ１を、一対の短辺部１３Ｂが一対の第２辺部１０ＦＲ２を、それぞれ構成する。なお、図１及び図７において一点鎖線により囲った範囲が、表示部１０ＤＳによる表示範囲とされる。
【００１２】
液晶パネル１１は、図２及び図３に示すように、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００１３】
液晶パネル１１において額縁部１０ＦＲを構成する外周側部分は、図４に示すように、一対ずつの長辺部１１Ａ及び短辺部１１Ｂを有しており、このうちの一対の長辺部１１Ａが一対の第１辺部１０ＦＲ１を、一対の短辺部１１Ｂが一対の第２辺部１０ＦＲ２を、それぞれ構成する。この液晶パネル１１の外周側部分には、複数のパネル用フレキシブル基板（フレキシブル基板）１５の一端側が接続されている。パネル用フレキシブル基板１５には、図示しないドライバがＣＯＦ（Chip On Film）実装されており、このドライバは、内部に駆動回路を有するＬＳＩチップからなる。パネル用フレキシブル基板１５は、液晶パネル１１の外周側部分（額縁部１０ＦＲ）における一方の長辺部１１Ａ（第１辺部１０ＦＲ１）に一端側が接続される第１パネル用フレキシブル基板（第１辺部接続部品）１５Ａと、液晶パネル１１の外周側部分における一方の短辺部１１Ｂ（第２辺部１０ＦＲ２）に一端側が接続される第２パネル用フレキシブル基板（第２辺部接続部品）１５Ｂと、からなる。このうちの第１パネル用フレキシブル基板１５Ａは、Ｘ軸方向に沿って複数（図４では４つ）が間隔を空けて並んで配されており、それぞれの他端側にはコントロール基板１４が接続されている。コントロール基板１４は、Ｘ軸方向に沿って延在する細長い板状をなしており、図２に示すように、バックライト装置１２の裏側に配されている。従って、液晶パネル１１とコントロール基板１４とに接続される第１パネル用フレキシブル基板１５Ａは、折り返し状に屈曲（湾曲）されている。コントロール基板１４から伝送される信号は、第１パネル用フレキシブル基板１５Ａを介して液晶パネル１１に供給される。第１パネル用フレキシブル基板１５Ａは、自身が有するドライバによって信号処理を行うことで画像信号を液晶パネル１１に供給するとともに、第２パネル用フレキシブル基板１５Ｂに供給される信号の伝送なども行う。第２パネル用フレキシブル基板１５Ｂには、図３及び図４に示すように、第１パネル用フレキシブル基板１５Ａを介して液晶パネル１１に伝送された信号が、液晶パネル１１の外周側部分に形成された配線（図示せず）を介して供給されるようになっている。第２パネル用フレキシブル基板１５Ｂは、自身が有するドライバによって信号処理を行うことで走査信号を液晶パネル１１に供給する。第２パネル用フレキシブル基板１５Ｂは、Ｙ軸方向に沿って複数（図４では３つ）が間隔を空けて並んで配されている。パネル用フレキシブル基板１５は、絶縁性及び可撓性を有する合成樹脂材料（例えばポリイミド系樹脂等）からなる基材を備え、その基材上に多数本の配線パターン（図示せず）を有している。コントロール基板１４は、パネル用フレキシブル基板１５に比べると高い剛性を有する（リジッドな）基材を備え、その基材の板面上に各種電子部品などが実装されている。上記した第１パネル用フレキシブル基板１５Ａは、液晶パネル１１及びコントロール基板１４の双方に接続される「パネル接続部品」である。
【００１４】
バックライト装置１２は、図２及び図３に示すように、表側（液晶パネル１１側）に向けて開口する略箱型をなすシャーシ（筐体）１８と、シャーシ１８の開口を覆う形で配される光学部材（光学シート）１９と、光学部材１９を表側から支持するフレーム２０と、を備える。さらに、シャーシ１８内には、光源であるＬＥＤ（Light Emitting Diode：発光ダイオード）２１と、ＬＥＤ２１が実装されるＬＥＤ基板（光源基板）２２と、ＬＥＤ２１からの光を導光して光学部材１９（液晶パネル１１）へと導く導光板２３と、導光板２３の裏側に配置される反射シート２４と、が備えられる。そして、このバックライト装置１２は、その短辺方向（Ｙ軸方向）についての片方の端部にＬＥＤ２１が配されており、ＬＥＤ２１からの光が導光板２３に対して片側から入光される片側入光タイプのエッジライト型（サイドライト型）とされる。続いて、バックライト装置１２の各構成部品について詳しく説明する。
【００１５】
シャーシ１８は、金属製とされ、図２及び図３に示すように、液晶パネル１１と同様に横長の略方形状をなす底部１８Ａと、底部１８Ａの各辺の外端からそれぞれ立ち上がる側部１８Ｂと、からなる。底部１８Ａは、その長辺方向がＸ軸方向（水平方向）と一致し、短辺方向がＹ軸方向（鉛直方向）と一致している。また、各側部１８Ｂには、フレーム２０及びベゼル１３が固定可能とされる。
【００１６】
光学部材１９は、図２及び図３に示すように、シャーシ１８の開口を覆うとともに、液晶パネル１１と導光板２３との間に介在する形で配されることで、導光板２３からの出射光を透過するとともにその透過光に所定の光学作用を付与しつつ液晶パネル１１に向けて出射させる。光学部材１９は、複数枚（本実施形態では４枚）が備えられ、その具体的な種類としては、例えば拡散シート、レンズシート（プリズムシート）、反射型偏光シート、レンズ拡散板などがあり、これらの中から適宜に選択して使用することが可能である。フレーム２０は、横長の枠状をなしており、光学部材１９及び導光板２３の外周縁部をほぼ全周にわたって表側から押さえて支持するとともに、液晶パネル１１の外周縁部をほぼ全周にわたって裏側から受けて支持する。
【００１７】
ＬＥＤ２１は、図２に示すように、ＬＥＤ基板２２に固着される基板部上にＬＥＤチップを封止材により封止した構成とされる。ＬＥＤ２１は、ＬＥＤチップが例えば青色光を単色発光するものとされ、封止材に蛍光体（黄色蛍光体、緑色蛍光体、赤色蛍光体など）が分散配合されることで全体として白色光を発する。ＬＥＤ２１は、自身の発光面２１Ａとは反対側の面が次述するＬＥＤ基板２２に実装されており、いわゆる上面発光型とされる。
【００１８】
ＬＥＤ基板２２は、図２に示すように、Ｘ軸方向に沿って延在する板状をなしており、その板面がＸ軸方向及びＺ軸方向に並行する姿勢でシャーシ１８内に収容される。ＬＥＤ基板２２は、複数のＬＥＤ２１が実装される実装面が次述する導光板２３の端面（入光端面２３Ａ）と対向する形で配されるとともに、ＬＥＤ２１の実装面とは反対側の板面がシャーシ１８の側部１８Ｂに接する形で取り付けられている。ＬＥＤ基板２２におけるＬＥＤ２１の実装面には、金属膜（銅箔など）からなり、各ＬＥＤ２１の端子などに接続される配線パターン（図示せず）が形成されている。ＬＥＤ２１は、ＬＥＤ基板２２における実装面においてＸ軸方向に沿って複数が間隔を空けて並んで配されている。ＬＥＤ基板２２には、図示しない給電用コネクタが設けられており、この給電用コネクタにバックライト用フレキシブルフラットケーブル（光源給電部品）２５の一端側が接続されている。バックライト用フレキシブルフラットケーブル２５は、その他端側がシャーシ１８の外部に引き出されるとともにコントロール基板１４に接続されている（図５を参照）。バックライト用フレキシブルフラットケーブル２５は、互いに並行する複数の配線部を絶縁性及び可撓性を有する合成樹脂製のフィルムにより挟み込んだ構成とされる。
【００１９】
導光板２３は、ほぼ透明な合成樹脂材料（例えばＰＭＭＡなどのアクリル樹脂やポリカーボネートなど）とされ、屈折率が空気よりも十分に高くなっている。導光板２３は、図２及び図３に示すように、液晶パネル１１などと同様に横長の板状をなしていてシャーシ１８によりその周りが取り囲まれた形で収容されるとともに、液晶パネル１１及び光学部材１９の直下位置に配されている。導光板２３は、図２に示すように、その外周端面のうち一方（図２に示す左側）の長辺側の端面が、ＬＥＤ２１と対向状をなしていてＬＥＤ２１からの光が入射される入光端面（光源対向端面）２３Ａとされる。導光板２３は、表裏一対の板面のうち、表側（液晶パネル１１側）を向いた板面が、光を液晶パネル１１に向けて出射させる出光板面２３Ｂとされ、裏側を向いた板面が出光板面２３Ｂとは反対側の出光反対板面２３Ｃとされる。このような構成により、導光板２３は、ＬＥＤ２１からＹ軸方向に沿って発せられた光を入光端面２３Ａから導入するとともに、その光を内部で伝播させた後にＺ軸方向に沿って立ち上げて出光板面２３Ｂから光学部材１９側（表側、光出射側）へ向けて出射させる機能を有している。
【００２０】
反射シート２４は、図２及び図３に示すように、導光板２３の出光反対板面２３Ｃを覆う形で配される。反射シート２４は、光反射性に優れており、導光板２３の出光反対板面２３Ｃから漏れた光を表側（出光板面２３Ｂ側）に向けて効率的に立ち上げることができる。
【００２１】
本実施形態に係る液晶表示装置１０は、図６に示すように、液晶パネル１１の駆動を制御するための表示制御部（表示パネル制御部）２６と、バックライト装置１２に備わるＬＥＤ２１の駆動を制御するためのＬＥＤ制御部（光源制御部）２７と、を少なくとも有している。表示制御部２６は、映像信号を処理する映像信号処理回路部と、映像信号処理回路部からの出力信号に基づいて各画素を駆動する画素駆動部と、を有しており、コントロール基板１４に設けられている。ＬＥＤ制御部２７は、ＬＥＤ２１を駆動するＬＥＤ駆動部を有しており、コントロール基板１４に設けられている。コントロール基板１４には、表示制御部２６及びＬＥＤ制御部２７の動作をそれぞれ制御するＣＰＵ２８が設けられている。
【００２２】
コントロール基板１４には、図２及び図５に示すように、一端側が外部のパネル用信号供給源に接続されたフレキシブル基板（パネル用信号供給源共々図示せず）の他端側に設けられたコネクタが接続されて映像信号の供給を受けるパネル用入力コネクタ２９と、一端側が外部のバックライト用信号供給源に接続されたフレキシブル基板（バックライト用信号供給源共々図示せず）の他端側に設けられたコネクタが接続されてバックライト信号の供給を受けるバックライト用入力コネクタ３０と、一端側がＬＥＤ基板２２の給電用コネクタに接続されたバックライト用フレキシブルフラットケーブル２５の他端側が接続されるバックライト用出力コネクタ３１と、が設けられている。外部のパネル用信号供給源は、元の映像信号をコントロール基板１４のパネル用入力コネクタ２９に供給するものであり、コントロール基板１４では供給された元の映像信号が処理され、処理された画像信号に基づいて液晶パネル１１に画像が表示される。外部のバックライト用信号供給源は、元のバックライト信号をコントロール基板１４のバックライト用入力コネクタ３０に供給するものであり、コントロール基板１４では供給された元のバックライト信号が処理され、処理されたＬＥＤ駆動信号に基づいてＬＥＤ２１が駆動される。
【００２３】
続いて、連結液晶表示装置５０について説明する。連結液晶表示装置５０は、図７及び図８に示すように、２つの液晶表示装置１０をＸ軸方向（並び方向）について隣り合う形で並べた上で相互に連結した構成とされる。このようにすれば、２つの液晶表示装置１０によって横長の画像を表示する上で好適となる。この連結液晶表示装置５０の具体的な用途としては、例えば電車の乗降口周りに設置されるデジタルサイネージなどに好適であり、表示する画像としては電車の路線図や広告などが好適である。なお、本実施形態では、隣り合う液晶表示装置１０同士を連結するための具体的な連結構造に関しては図示などを省略している。
【００２４】
そして、本実施形態に係る連結液晶表示装置５０は、図７及び図８に示すように、Ｘ軸方向に沿って並ぶ２つの液晶表示装置１０が互いにＹ軸方向（並び方向と直交する並び直交方向）について天地が反転した姿勢とされている。詳しくは、Ｘ軸方向に沿って並ぶ２つの液晶表示装置１０のうちの一方の液晶表示装置１０は、第１パネル用フレキシブル基板１５ＡがＹ軸方向について図７及び図８に示す上側に配される第１姿勢とされる。これに対し、Ｘ軸方向に沿って並ぶ２つの液晶表示装置１０のうちの他方の液晶表示装置１０は、第１パネル用フレキシブル基板１５ＡがＹ軸方向について図７及び図８に示す下側に配されていて上記した第１姿勢に対してＹ軸方向について天地が反転した第２姿勢とされる。なお、本実施形態では、図７に示す左側（図８に示す右側）の液晶表示装置１０を第１姿勢とし、図７に示す右側（図８に示す左側）の液晶表示装置１０を第２姿勢とする。これに対し、表示制御部２６は、第１姿勢と第２姿勢との双方で液晶パネル１１の表示部１０ＤＳに表示される画像におけるＹ軸方向についての向きが同一となるよう液晶パネル１１の駆動を制御する。このようにすれば、Ｘ軸方向について隣り合う液晶表示装置１０が互いに反転した姿勢で連結されていても、隣り合う液晶表示装置１０の各液晶パネル１１の表示部１０ＤＳのそれぞれに適切な画像を表示させることができる。しかも、Ｘ軸方向について隣り合う液晶表示装置１０は、同一とされる。このようにすれば、仮にＸ軸方向について隣り合う液晶表示装置を異ならせた場合に比べると、液晶表示装置１０の製造コストを低廉化させることができる。
【００２５】
具体的には、表示制御部２６は、外部のパネル用信号供給源から供給される映像信号に基づいて、図８に示される第１姿勢での表示のための第１表示信号と、第２姿勢での表示のための第２表示信号と、を選択的に出力することが可能とされる。より詳しくは、外部のパネル用信号供給源から出力される映像信号には、第１表示トリガー信号と第２表示トリガー信号とのうちのいずれかが含まれており、第１表示トリガー信号が含まれていた場合には表示制御部２６は第１表示信号を出力し、第２表示トリガー信号が含まれていた場合には表示制御部２６は第２表示信号を出力する。なお、第１表示トリガー信号及び第２表示トリガー信号は、パネル用入力コネクタ２９に備わる同一端子に対して供給されるようになっており、第１表示トリガー信号及び第２表示トリガー信号のうちの一方が高い電圧値の信号とされ、他方が低い電圧値の信号とされる。外部のパネル用信号供給源が第１表示トリガー信号と第２表示トリガー信号とのうちのどちらを出力するかに関しては、設置された液晶表示装置１０の姿勢に基づいて外部のパネル用信号供給源の設定を調整することで制御することが可能とされる。従って、第１姿勢とされる図８に示す右側の液晶表示装置１０に関しては、外部のパネル用信号供給源から出力される映像信号に第１表示トリガー信号を含ませるようにすれば、表示制御部２６からは第１表示信号が出力されて第１パネル用フレキシブル基板１５Ａを介して液晶パネル１１に供給される。これにより、第１姿勢とされた液晶表示装置１０の液晶パネル１１には、第１表示信号によりＹ軸方向について適切な向きの画像が表示される。一方、第２姿勢とされる図８に示す左側の液晶表示装置１０に関しては、外部のパネル用信号供給源から出力される映像信号に第２表示トリガー信号を含ませるようにすれば、表示制御部２６からは第２表示信号が出力されて第１パネル用フレキシブル基板１５Ａを介して液晶パネル１１に供給される。これにより、第２姿勢とされた液晶表示装置１０の液晶パネル１１には、第２表示信号によりＹ軸方向について適切な向きの画像が表示される。このように、液晶表示装置１０の姿勢に応じて外部のパネル用信号供給源から出力される映像信号に第１表示トリガー信号と第２表示トリガー信号とのいずれを含ませるかを調整することで、液晶パネル１１に表示される画像におけるＹ軸方向について向きを適正化することができる。
【００２６】
その上で、本実施形態に係る連結液晶表示装置５０は、図７に示すように、Ｘ軸方向について隣り合う液晶表示装置１０における各額縁部１０ＦＲを構成する一対ずつの第１辺部１０ＦＲ１がそれぞれ直線状に並ぶよう配されている。詳しくは、図７に示す左側に配されて第１姿勢とされる液晶表示装置１０におけるベゼル１３（額縁部１０ＦＲ）を構成する一対の長辺部１３Ａ（第１辺部１０ＦＲ１）と、図７に示す右側に配されて第２姿勢とされる液晶表示装置１０におけるベゼル１３を構成する一対の長辺部１３Ａと、は、Ｘ軸方向に沿う内縁及び外縁がそれぞれ一直線状をなしている。同様に、図７に示す左側に配されて第１姿勢とされる液晶表示装置１０における液晶パネル１１の外周側部分（額縁部１０ＦＲ）を構成する一対の長辺部１１Ａ（第１辺部１０ＦＲ１）と、図７に示す右側に配されて第２姿勢とされる液晶表示装置１０における液晶パネル１１の外周側部分を構成する一対の長辺部１１Ａと、は、Ｘ軸方向に沿う内縁が一直線状をなしている。このようにすれば、Ｘ軸方向について隣り合う液晶表示装置１０同士が反転した姿勢で連結されていても、隣り合う液晶表示装置１０同士で表示範囲がＹ軸方向について上下にずれることが避けられるとともに、液晶表示装置１０同士で外形がＹ軸方向について上下にずれることが避けられる。これにより、表示品位が良好になるとともに、外観が優れたものとなる。なお、液晶パネル１１は、図４に示すように、一対の長辺部１１Ａにおける幅寸法が異なるものの、液晶表示装置１０を構成するベゼル１３は、図１に示すように、一対の長辺部１３Ａにおける幅寸法がほぼ同一とされている。これにより、連結液晶表示装置５０は、図７に示すように、第１姿勢及び第２姿勢とされる各液晶表示装置１０におけるベゼル１３の一対の長辺部１３Ａの内縁及び外縁が一直線状をなすとともに、第１姿勢及び第２姿勢とされる各液晶表示装置１０における液晶パネル１１の一対の長辺部１１Ａの内縁が一直線状をなしている。
【００２７】
液晶表示装置１０における額縁部１０ＦＲは、図１に示すように、一対の第２辺部１０ＦＲ２の幅寸法Ｗ１，Ｗ２が互いに異なる構成とされている。具体的には、額縁部１０ＦＲを構成する一対の第２辺部１０ＦＲ２のうち、第２パネル用フレキシブル基板１５Ｂと平面に視て重畳する第２辺部１０ＦＲ２の幅寸法Ｗ２は、第２パネル用フレキシブル基板１５Ｂとは平面に視て非重畳とされる第２辺部１０ＦＲ２の幅寸法Ｗ１よりも大きくなっている（図３及び図４を参照）。これにより、第２パネル用フレキシブル基板１５Ｂを実装するためのスペースを十分に確保することができる。そして、連結液晶表示装置５０においてＸ軸方向について隣り合う液晶表示装置１０は、図７に示すように、中央側（隣接する側）の第２辺部１０ＦＲ２の幅寸法Ｗ１が、端側（隣接側とは反対側）の第２辺部１０ＦＲ２の幅寸法Ｗ２よりも小さくなっている。つまり、連結液晶表示装置５０は、第１姿勢とされる液晶表示装置１０の額縁部１０ＦＲにおける一対の第２辺部１０ＦＲ２のうちの幅寸法Ｗ１が相対的に小さい第２辺部１０ＦＲ２と、第２姿勢とされる液晶表示装置１０の額縁部１０ＦＲにおける一対の第２辺部１０ＦＲ２のうちの幅寸法Ｗ１が相対的に小さい第２辺部１０ＦＲ２と、が隣接するよう配されている。ここで、Ｘ軸方向について隣り合う液晶表示装置１０の各表示部１０ＤＳに表示される２つの画像の間には、各額縁部１０ＦＲのうちの互いに隣接する第２辺部１０ＦＲ２が介在する配置となる。この隣接する側の第２辺部１０ＦＲ２の幅寸法Ｗ１が、隣接側とは反対側の第２辺部１０ＦＲ２の幅寸法Ｗ２よりも小さくされることで、隣り合う液晶表示装置１０の各表示部１０ＤＳに表示される２つの画像がより近い配置となる。以上により、表示品位がより優れたものとなる。
【００２８】
連結液晶表示装置５０において隣り合う液晶表示装置１０は、図７に示すように、額縁部１０ＦＲにおける端側（隣接側とは反対側）の第２辺部１０ＦＲ２の幅寸法Ｗ２が、一対の第１辺部１０ＦＲ１の幅寸法Ｗ３と同等とされている。つまり、各額縁部１０ＦＲは、中央側（隣接側）の第２辺部１０ＦＲ２を除いた３つずつの各辺部１０ＦＲ１，１０ＦＲ２の幅寸法Ｗ２，Ｗ３が同等になっている。これにより、連結液晶表示装置５０の外観がより優れたものとなる。
【００２９】
また、液晶表示装置１０の額縁部１０ＦＲを構成する一対の第１辺部１０ＦＲ１のうちの一方の第１辺部１０ＦＲ１は、図２に示すように、第１パネル用フレキシブル基板１５Ａと平面に視て重畳する配置とされるのに対し、他方の第１辺部１０ＦＲ１は、第１パネル用フレキシブル基板１５Ａとは平面に視て非重畳の配置とされる。そして、バックライト装置１２を構成するＬＥＤ２１は、図２に示すように、額縁部１０ＦＲを構成する一対の第１辺部１０ＦＲ１のうちの他方の第１辺部１０ＦＲ１と重畳するよう配されている。つまり、ＬＥＤ２１は、第１パネル用フレキシブル基板１５Ａとは非重畳の配置となるので、仮にＬＥＤが第１パネル用フレキシブル基板１５Ａと重畳する配置とされる場合に比べると、一対の第１辺部１０ＦＲ１の幅寸法Ｗ３を均等化する上で好適となる。また、ＬＥＤ２１及び第１パネル用フレキシブル基板１５Ａは、共に使用に伴って発熱することから、これらを互いに非重畳の配置とすることで、発熱源がＹ軸方向について分散配置されて局所的な高温箇所が生じ難くなる。
【００３０】
以上説明したように本実施形態の連結液晶表示装置（連結表示装置）５０は、画像が表示される表示部１０ＤＳと表示部１０ＤＳを取り囲むよう額縁状をなす額縁部１０ＦＲとを有していて外形が方形状をなす液晶表示装置（表示装置）１０を、互いに隣り合うよう並べ且つ互いに反転した姿勢で連結してなる連結液晶表示装置５０であって、額縁部１０ＦＲは、液晶表示装置１０の並び方向に沿う一対の第１辺部１０ＦＲ１と並び方向と直交する並び直交方向に沿う一対の第２辺部１０ＦＲ２とからなり、隣り合う液晶表示装置１０は、一対ずつの第１辺部１０ＦＲ１がそれぞれ直線状に並ぶよう配される。
【００３１】
このようにすれば、隣り合う液晶表示装置１０の各表示部１０ＤＳに画像が表示されるので、単独の液晶表示装置１０での表示に比べると、大画面での表示が可能となる。表示部１０ＤＳを取り囲むよう額縁状をなす額縁部１０ＦＲは、一対ずつの第１辺部１０ＦＲ１及び第２辺部１０ＦＲ２が画像の表示範囲を区画している。そして、隣り合う液晶表示装置１０は、額縁部１０ＦＲのうちの並び方向に沿う一対ずつの第１辺部１０ＦＲ１がそれぞれ直線状に並ぶよう配されているから、隣り合う液晶表示装置１０同士が反転した姿勢で連結されていても、液晶表示装置１０同士で表示範囲が並び直交方向についてずれることが避けられるとともに、液晶表示装置１０同士で外形が並び直交方向についてずれることが避けられる。これにより、表示品位が良好になるとともに、外観が優れたものとなる。その上で、隣り合う液晶表示装置１０が互いに反転した姿勢であり、その構造を共通化することができるので、製造コストの低廉化を図る上でも好適となる。
【００３２】
また、額縁部１０ＦＲは、一対の第２辺部１０ＦＲ２の幅寸法Ｗ１，Ｗ２が互いに異なる構成とされており、隣り合う液晶表示装置１０は、隣接する側の第２辺部１０ＦＲ２の幅寸法Ｗ１が、隣接側とは反対側の第２辺部１０ＦＲ２の幅寸法Ｗ２よりも小さい。隣り合う液晶表示装置１０の各表示部１０ＤＳに表示される２つの画像の間には、額縁部１０ＦＲのうちの互いに隣接する第２辺部１０ＦＲ２が介在する配置となる。この隣接する側の第２辺部１０ＦＲ２の幅寸法Ｗ１が、隣接側とは反対側の第２辺部１０ＦＲ２の幅寸法Ｗ２よりも小さくされることで、隣り合う液晶表示装置１０の各表示部１０ＤＳに表示される２つの画像がより近い配置となり、もって表示品位がより優れたものとなる。
【００３３】
また、液晶表示装置１０は、表示部１０ＤＳ及び額縁部１０ＦＲを有する液晶パネル（表示パネル）１１と、液晶パネル１１の額縁部１０ＦＲのうちの隣接側とは反対側の第２辺部１０ＦＲ２に実装される第２パネル用フレキシブル基板（第２辺部接続部品）１５Ｂと、を少なくとも有する。このようにすれば、液晶パネル１１の額縁部１０ＦＲにおける隣接側とは反対側の第２辺部１０ＦＲ２の幅寸法Ｗ２は、隣接側の第２辺部１０ＦＲ２の幅寸法Ｗ１よりも大きくなっているので、第２パネル用フレキシブル基板１５Ｂを実装するためのスペースを十分に確保することができる。
【００３４】
また、隣り合う液晶表示装置１０は、隣接側とは反対側の第２辺部１０ＦＲ２の幅寸法Ｗ２が、一対の第１辺部１０ＦＲ１の幅寸法Ｗ３と同等とされる。このようにすれば、隣り合う液晶表示装置１０における額縁部１０ＦＲのうちの隣接側の第２辺部１０ＦＲ２を除いた３つずつの各辺部１０ＦＲ１，１０ＦＲ２の幅寸法Ｗ２，Ｗ３が同等になるので、外観がより優れたものとなる。
【００３５】
また、液晶表示装置１０は、第１姿勢と、第１姿勢に対して並び直交方向について天地が反転した第２姿勢と、の双方において表示される画像における並び直交方向についての向きが同一となるよう液晶表示装置１０の駆動を制御する表示制御部２６を有する。このようにすれば、表示制御部２６は、液晶表示装置１０が第１姿勢及び第２姿勢のいずれであっても表示される画像における並び直交方向についての向きが同一となるよう液晶表示装置１０の駆動を制御するから、隣り合う液晶表示装置１０が互いに反転した姿勢で連結されていても隣り合う液晶表示装置１０のそれぞれに適切な画像の表示を行うことができる。
【００３６】
また、液晶表示装置１０は、表示部１０ＤＳ及び額縁部１０ＦＲを有する液晶パネル１１と、液晶パネル１１の額縁部１０ＦＲのうちの一方の第１辺部１０ＦＲ１に実装される第１パネル用フレキシブル基板（第１辺部接続部品）１５Ａと、液晶パネル１１に対して表示のための光を照射するバックライト装置（照明装置）１２と、を少なくとも有しており、バックライト装置１２は、他方の第１辺部１０ＦＲ１と重畳するよう配されるＬＥＤ（光源）２１を有する。このようにすれば、液晶パネル１１の表示部１０ＤＳには、バックライト装置１２から照射される光を利用して画像が表示される。バックライト装置１２が有するＬＥＤ２１は、第１パネル用フレキシブル基板１５Ａとは非重畳の配置となるので、仮にＬＥＤが第１パネル用フレキシブル基板１５Ａと重畳する配置とされる場合に比べると、一対の第１辺部１０ＦＲ１の幅寸法Ｗ３を均等化する上で好適となる。また、ＬＥＤ２１及び第１パネル用フレキシブル基板１５Ａは、共に使用に伴って発熱することから、これらを非重畳の配置とすることで、発熱源が分散されて局所的な高温箇所が生じ難くなる。
【００３７】
＜他の実施形態＞
本発明は上記記述及び図面によって説明した実施形態に限定されるものではなく、例えば次のような実施形態も本発明の技術的範囲に含まれる。
（１）上記した実施形態では、コントロール基板にパネル用入力コネクタ及びバックライト用入力コネクタをそれぞれ別途に設置した場合を示したが、コントロール基板に単一の入力コネクタを設置し、その入力コネクタに映像信号とバックライト信号とが供給されるようにすることも可能である。
（２）上記した実施形態では、表示制御部とＬＥＤ制御部とが同じコントロール基板に設けられた場合を示したが、ＬＥＤ制御部がコントロール基板とは別途に設けられたＬＥＤ制御基板に設けられる構成であってもよい。
（３）上記した実施形態では、２つの液晶表示装置をＸ軸方向について隣り合う形で連結する連結液晶表示装置を例示したが、２つの液晶表示装置をＹ軸方向について隣り合う形で連結する連結液晶表示装置であっても構わない。
（４）上記した実施形態では、連結液晶表示装置を構成する２つの液晶表示装置が同一とされる場合を示したが、２つの液晶表示装置の構成部品が全て同一である必要はない。例えば基幹部品（液晶パネル、光学部材、導光板、反射シート、着脱式ＬＥＤユニットなど）を同一とすればコスト低減効果は十分に得られるので、基幹部品以外の周辺部品を異ならせる（非同一とする）ことも可能である。なお、液晶表示装置におけるどの構成部品を共通化させるかは、上記以外にも適宜に変更可能である。
（５）上記した実施形態では、２つの液晶表示装置が隣り合うよう並ぶ連結液晶表示装置を例示したが、３つ以上の液晶表示装置が隣り合うよう並ぶ連結液晶表示装置であっても構わない。
（６）上記した実施形態では、額縁部を構成する一対の第２辺部の幅寸法が異なる場合を示したが、一対の第２辺部の幅寸法が同一であっても構わない。これは、第２パネル用フレキシブル基板を省略する構成と組み合わせるのが好ましい。
（７）上記した実施形態では、額縁部を構成する一対の第１辺部の幅寸法と、他方の第２辺部の幅寸法と、が同一となる場合を示したが、一対の第１辺部の幅寸法と、他方の第２辺部の幅寸法と、が異なっていても構わない。
（８）上記した実施形態では、額縁部を構成する一対の第１辺部の幅寸法が同一となる場合を示したが、一対の第１辺部の幅寸法が異なっていても構わない。
（９）上記した実施形態では、液晶表示装置がベゼルを備えていて、ベゼルが額縁部を構成する場合を示したが、ベゼルを備えない液晶表示装置にも本発明は適用可能である。例えば液晶表示装置が液晶パネルを保護するためのカバーガラス（保護パネル）を有しており、そのカバーガラスが表示部を取り囲むよう額縁状をなす遮光部を有する構成とされる場合には、遮光部が額縁部を構成する。
（１０）上記した実施形態では、液晶表示装置を構成するバックライト装置に備わるＬＥＤ基板（ＬＥＤ）がシャーシに固定される場合を示したが、ＬＥＤ基板がシャーシに対して着脱可能な構成を採ることも可能である。その場合は、シャーシやベゼルなどにおける側面にＬＥＤ基板の着脱を許容するための着脱口を開口形成するのが好ましい。
（１１）上記した実施形態では、液晶表示装置及び液晶パネルの平面形状が方形とされる場合を示したが、液晶表示装置及び液晶パネルにおける任意の角部が丸められた形状であっても「方形」に含まれる。
（１２）上記した実施形態では、導光板の１つの入光端面と１枚のＬＥＤ基板が対向状に配される場合を示したが、導光板の１つの入光端面と複数枚のＬＥＤ基板が対向状に配されていても構わない。
（１３）上記した実施形態では、片側入光タイプのバックライト装置について示したが、両側入光タイプのバックライト装置であっても構わない。さらには、導光板の外周端面のうちの３つの端面が入光端面となるようＬＥＤ及びＬＥＤ基板を配置したり、導光板の外周端面が全周にわたって入光端面となるようＬＥＤ及びＬＥＤ基板を配置したりすることも可能である。
（１４）上記した実施形態以外にも、パネル用フレキシブル基板の設置数や配置などは適宜に変更可能である。また、パネル用フレキシブル基板として第１パネル用フレキシブル基板のみを用い、第２パネル用フレキシブル基板を省略することも可能である。また、上記した実施形態に記載したバックライト用フレキシブルフラットケーブルに代えてバックライト用フレキシブル基板を用いることも可能である。
（１５）上記した実施形態以外にも、バックライト装置に用いる光学シートの具体的な枚数、種類、積層順などは適宜に変更可能である。
（１６）上記した実施形態では、上面発光型のＬＥＤを示したが、側面発光型のＬＥＤを光源として用いることも可能である。また、ＬＥＤ以外の光源（有機ＥＬなど）を用いることも可能である。
（１７）上記した実施形態以外にも、連結液晶表示装置の具体的な用途は適宜に変更可能である。
（１８）上記した実施形態では、表示パネルとして液晶パネルを例示したが、他の種類の表示パネル（ＭＥＭＳ（Micro Electro Mechanical Systems）表示パネルなど）にも本発明は適用可能である。
（１９）上記した実施形態以外にも、液晶表示装置の具体的な用途などは適宜に変更可能である。
【符号の説明】
【００３８】
１０…液晶表示装置（表示装置）、１０ＤＳ…表示部、１０ＦＲ…額縁部、１０ＦＲ１…第１辺部、１０ＦＲ２…第２辺部、１１…液晶パネル（表示パネル）、１２…バックライト装置（照明装置）、１５Ａ…第１パネル用フレキシブル基板（第１辺部接続部品）、１５Ｂ…第２パネル用フレキシブル基板（第２辺部接続部品）、２１…ＬＥＤ（光源）、２６…表示制御部、Ｗ１〜Ｗ３…幅寸法
【図１】
2019174716.tif 000003
【図２】
2019174716.tif 000004
【図３】
2019174716.tif 000005
【図４】
2019174716.tif 000006
【図５】
2019174716.tif 000007
【図６】
2019174716.tif 000008
【図７】
2019174716.tif 000009
【図８】
2019174716.tif 000010